(57)【特許請求の範囲】
【請求項１】
コ字状の枠１の中間位置に軸２を支持し前記軸２の回りには数個の回転子３を配置し、前記枠１のコ字状の両側片先端にベルト支持片５を設けて、前記回転子３と同じ数の回転ベルト印４を回転子３とベルト支持片５に懸架させ、前記ベルト支持片５を枠１の両片先端に支持することにより張設して回転印部２６としており、該回転印部２６を覆う外装体９の下端には、下面に固定印１８を有し、中央には前記回転ベルト印４が露呈する窓２４を設けた固定印受２０とからなる固定印部１７を前記外装体９に沿って上下摺動可能に支持し、前記コ字状の枠１の上片にねじ６を有する支持部材１５を嵌合固定させ、該ねじ６上部には握り部１３を設け、更に、ねじ６にねじ嵌合された調節ナット７と外装体９の上部に載設された調節板１０とが噛み合って回転印部２６の高さ調節機構を有する回転印において、前記枠１の上片に１対の角部１２と切欠１３を有して、前記支持部材１５には爪２５と溝１６を設け、前記角部１２と溝１６、前記切欠１３と爪２５を対応させ、ねじ６を有する前記支持部材１５を前記枠１の上片に変更可能に嵌合固定することを特徴とする回転印。
【請求項２】
コ字状の枠１Ａの中間位置に軸２を支持し前記軸２の回りには数個の回転子３を配置し、前記枠１Ａのコ字状の両側片先端にベルト支持片５を設けて、前記回転子３と同じ数の回転ベルト印４を回転子３とベルト支持片５に懸架させ、前記ベルト支持片５を枠１Ａの両片先端に支持することにより張設して回転印部２６としており、該回転印部２６を覆う外装体９の下端には、下面に固定印１８を有し、中央には前記回転ベルト印４が露呈する窓２４を設けた固定印受２０とからなる固定印部１７を前記外装体９に沿って上下摺動可能に支持し、前記コ字状の枠１Ａの上片にねじ６を有する支持部材１５Ａを嵌合固定させ、該ねじ６上部には握り部１３を設け、更に、ねじ６にねじ嵌合された調節ナット７と外装体９の上部に載設された調節板１０とが噛み合って回転印部２６の高さ調節機構を有する回転印において、前記枠１Ａの上片に一対の角部１２Ａと切欠窓２７を設けて、更に両側片にも支持窓２８を設け、ねじ６を有する支持部材１５Ａに溝１６と爪２５Ａを設けて、前記角部１２Ａと前記溝１６、前記支持窓２８と前記爪２５Ａとが対応して、ねじ６を有する前記支持部材１５Ａを前記枠１Ａの上片に変更可能に嵌合固定することを特徴とする回転印。
【発明の詳細な説明】
【０００１】
【産業上の利用分野】
本発明は、回転ベルト印を有し、回転ベルト印の下方端に設けた固定印から前記回転ベルト印を露呈して、前記回転ベルト印と固定印が同一平面に捺印可能な高さ調節機構を有する回転印に関するものである。
【０００２】
【従来の技術】
従来よりこの種の発明・考案は、単に回転印の下方端に固定印（マスター印）を設けたものがある。この種の出願は、実公昭５５−１３０６４号（以下、（イ））、実公昭６０−２１２３６号（以下、（ロ））、実公平３−２５９７４号（以下、（ハ））、実公昭２９−１１２０２号（以下、（ニ））がある。
（イ）は、回転印に着脱印部を設けたものであり、回転印の高さ調節機構は設けられていない。したがって、本願とは目的を異にしている。
（ロ）は、携帯に便利な固定印を設けた回転印であり、回転子２２を一部露呈しており、回転印本体６の上下位置を調整可能としている。しかし、枠とその上部に立設されたねじは、一体、もしくは、別体であり、別体であっても溶接等で組付け以前に連結されており、枠と共にねじが決定されている。
【０００３】
（ハ）は、本願出願人と同じであり、考案自体はマスター印の構成部分であるが、該回転印は把手を螺子嵌合しており、調節子を回転印本体に圧着して、調節子を回転不可能にしている。また、把手１２の螺子嵌合を緩めると調節子１３が回転可能になり、固定印（マスター印）と回転ベルト印の高さを調節出来るようになる。
（二）は、（ハ）と同様な構成であり、把板１２により定位ナット１１を回転させて組み付けられた回転印を上下摺動させている。しかし、把手１３を少し回転させて螺合を弛めてから把板１２を回転させて印面の高さ調節を行なっている。
【０００４】
また、上記先行技術のいずれの場合も、枠とねじは前記した様に一体、もしくは、別体であり、別体であっても溶接等により組付け以前に前加工として行なわなければならない。従って、こうした回転印は、回転ベルト印の種類（厚い印字体や薄い印字体）が異なる場合に同じねじのものであれば調節板を回す回数が多くなる。
該回転ベルト印の種類というのは、１つの回転印があり４本の回転ベルト印が存在したなら、４本とも同じ回転ベルト印の印字体厚さである。しかし、回転ベルト印の印字体厚さには、多孔質、非多孔質体があり、特に普通の回転印なら０．５ｍｍから５０．０ｍｍ前後の印字体厚さのものまで存在し、組付ける場合４本それぞれでは同一であるが組によって厚さを変えることが生じる。この場合、回転ベルト印の数字を回転させて変えると印字体の厚さが厚いと高さの変化が大きい。
特に、多孔質印字体であたりすると、インキの影響と使用頻度により常に使用している固定印と回転ベルト印の高さの差が大きく生じる。
【０００５】
【発明が解決しようとする課題】
以上の様に回転ベルト印や固定印の印字体の厚さにより高さ調節を行なわなければならず、ねじが枠に固定されていると回転ベルト印の厚さが異なるその都度、ねじが固定された枠を数種類用意しなければならない。また、中間部材として数種類の枠を準備しておかなければならずコスト高となったりする。粗いピッチのねじでは薄い印字体の高さ調整は難しく、細かいピッチのものでは厚い印字体は、調節板を数回回転させる必要があり扱いにくい。
こうした課題を解決するために、ねじと枠を分離し２部品としてしかも、手荒らい使用状態においても枠とねじが分離することのない、使用に耐える組付け手段をもった回転印を提供する。加えて、分離することで部品ストックが少なくて済み、コストも低減可能な回転印を提供する。
【０００６】
【課題を解決するための手段】
コ字状の枠１の中間位置に軸２を支持し前記軸２の回りには数個の回転子３を配置し、前記枠１のコ字状の両側片先端にベルト支持片５を設けて、前記回転子３と同じ数の回転ベルト印４を回転子３とベルト支持片５に懸架させ、前記ベルト支持片５を枠１の両片先端に支持することにより張設して回転印部２６としており、該回転印部２６を覆う外装体９の下端には、下面に固定印１８を有し、中央には前記回転ベルト印４が露呈する窓２４を設けた固定印受２０とからなる固定印部１７を前記外装体９に沿って上下摺動可能に支持し、前記コ字状の枠１の上片にねじ６を有する支持部材１５を嵌合固定させ、該ねじ６上部には握り部１３を設け、更に、ねじ６にねじ嵌合された調節ナット７と外装体９の上部に載設された調節板１０とが噛み合って回転印部２６の高さ調節機構を有する回転印において、前記枠１の上片に１対の角部１２と切欠１３を有して、前記支持部材１５には爪２５と溝１６を設け、前記角部１２と溝１６、前記切欠１３と爪２５を対応させ、ねじ６を有する前記支持部材１５を前記枠１の上片に変更可能に嵌合固定することを特徴とする回転印である。また、コ字状の枠１Ａの中間位置に軸２を支持し前記軸２の回りには数個の回転子３を配置し、前記枠１Ａのコ字状の両側片先端にベルト支持片５を設けて、前記回転子３と同じ数の回転ベルト印４を回転子３とベルト支持片５に懸架させ、前記ベルト支持片５を枠１Ａの両片先端に支持することにより張設して回転印部２６としており、該回転印部２６を覆う外装体９の下端には、下面に固定印１８を有し、中央には前記回転ベルト印４が露呈する窓２４を設けた固定印受２０とからなる固定印部１７を前記外装体９に沿って上下摺動可能に支持し、前記コ字状の枠１Ａの上片にねじ６を有する支持部材１５Ａを嵌合固定させ、該ねじ６上部には握り部１３を設け、更に、ねじ６にねじ嵌合された調節ナット７と外装体９の上部に載設された調節板１０とが噛み合って回転印部２６の高さ調節機構を有する回転印において、前記枠１Ａの上片に一対の角部１２Ａと切欠窓２７を設けて、更に両側片にも支持窓２８を設け、ねじ６を有する支持部材１５Ａに溝１６と爪２５Ａを設けて、前記角部１２Ａと前記溝１６、前記支持窓２８と前記爪２５Ａとが対応して、ねじ６を有する前記支持部材１５Ａを前記枠１Ａの上片に変更可能に嵌合固定することを特徴とする回転印である。
【０００７】
【実施例】
本発明の第１の実施例を図１、図２、図３より詳細に説明する。
１は、コの字状の枠であり、上片には両側片に対し垂直方向に一対の角部１２が設けられ、同時に前記角部１２に並設して切欠１３も一対設けられている。枠１の両側片には、ほぼ中間位置に軸支持部１４が設けられている。
更に、枠１の上片には支持部材１５を嵌合固定し、前記支持部材１５に設けた溝１６と前記角部１２、支持部材１５の爪２５と前記切欠１３が対応して前記支持部材１５を固定支持している。
前記支持部材１５には、立設するねじ６が設けられており、組付けられた支持部材１５のねじ６に下から調節ナット７、固定ナット８がねじ嵌合される。
調節ナット７は、外装体９を保持しており、前記外装体９の上面には、載設された調節板１０を配置し、前記調節ナット９の外径と調節ナット７の内径が噛み合っている。
【０００８】
２は、軸であり、外周に数個の回転子３を設け、更に回転子３には回転ベルト印４が前記回転子３と同数懸架されている。また、前記回転ベルト印４はベルト支持片５に懸架されており、前記軸２は軸支持部１４と前記ベルト支持片５は枠１の両側片先端にそれぞれ支持される。
こうして、回転ベルト印４は回転可能に張設懸架される。
８は、前記した様に固定ナットであり、握り部１１の内部に固定されている。従って、固定ナット８により握り部１１が、ねじ６とねじ嵌合しており、前記握り部１１の端面で調節板１０を押圧して容易に調節板１０を回転させない。
【０００９】
９は、外装体であり、箱形状を２分割しており、合わせ目部分の下方位置に一対の長孔２１を設けており、前記長孔２１にボルト２２を貫通させてナット２３で緩く締めて上下摺動自在にしており、内部では回転印部２６を上下に摺動可能にしている。
外装体９の下部には、固定印部１７を配置しており、固定印受２０をボルト２２とナット２３により前記外装体９の下部に取付けられている。
固定印部１７は、固定印１８と中央に窓孔２４を設けた固定印受２０からなっている。ボルト２２とナット２３を緩めることによって、固定印部１７を上下に摺動自在にしている。
【００１０】
１５は、前記している様に支持部材であり、ねじ６を上方に立設しており下方には、前記枠１の上片に設けた角部１２と対応する溝１６を設けて、更にその外側に爪２５を相対して並設しており、角部１２が溝１６に挿嵌され、前記枠１の切欠１３にフックして（対応して）固定している。
こうして、支持部材１５は、前記枠１の上片に強力に嵌合固定される。
調節ナット７および固定ナット８は、ねじ６のピッチに適合している。
【００１１】
材質等について、枠１、軸２、ベルト支持片５及び外装体９は、金属である。回転子３、調節体１０、握り部１１、支持部材１５は、熱可塑性樹脂、熱硬化性樹脂のうちから使用可能である。
調節ナット７、固定ナット８、固定印受２０は、金属や熱可塑性樹脂や熱硬化性樹脂から選択可能である。
回転ベルト印４は、熱可塑性樹脂やゴムであり、多孔質体、非多孔質体のどちらも選択可能である。印字体の厚さは、回転印の大きさにより０．５ｍｍ程度から考えられるが、特に、０．５ｍｍから５０．０ｍｍ程度のものが多く使用される。本発明もその範囲で推測可能である。
固定印１８も、ゴム、熱可塑性樹脂であり、多孔質体、非多孔質体のどちらも選択可能である。
【００１２】
組付け方法について、軸２の外周に回転子３を数個配置し、該回転子３の外周に回転ベルト印４を懸装し、更にベルト支持片５に前記回転ベルト印４を懸装し、この状態で枠１の中間位置に設けられた軸支持部１４により軸２を支持し、前記ベルト支持片５は、枠１の両側片の先端に支持される。
こうして、回転ベルト印４は、回転可能に張設懸架される。
この時回転ベルト印４の印字体厚さを自由に選択でき、各種のピッチを持つねじ６を有する支持部材１５を前記枠１の上方に嵌合固定することができる。
【００１３】
次に枠１の上片に支持部材１５を嵌合固定し、ねじ６に調節ナット７をねじ嵌合させる。更に調節ナット７により二分割された外装体９を上方で狭着保持し、下方では固定印部１７の固定印受２０により狭着保持されている。
ボルト２２が外装体９の長孔２１を貫通し前記固定印部１７の立設された２脚を貫通してナット２３とで緩く締められ、前記固定印部１７を保持するものである。
【００１４】
最後に、握り部１１の内部に固定された固定ナット８により、前記握り部１１をねじ６にねじ嵌合することができ、調節板１０を強く押圧するまでねじ嵌合させる。
【００１５】
次に第２の実施例を図４により詳細に説明する。
１Ａは、枠であり、枠の両片に平行に上片に角部１２Ａを１対設けて、更に切欠窓２７を１対設けている。前記枠１Ａの両片の上方にそれぞれ支持窓２８を設けている。支持部材１５Ａには、溝１６を並設し該外側に爪２５Ａを外向きに設けられており、爪２５Ａを切欠窓２７にはめ込んで、前記爪２５Ａを支持窓２８にフックされ嵌着される。
【００１６】
【効果】
以上の様な構成であるので、回転ベルト印４の印字体厚さが変わっても自由にねじ６の変更が可能であり、前記ねじ６を自由に変更できることで調節板１０を少ない回転数で回転印部を上下に摺動させることができる。
また、組付仕掛かり部品も少なくて済み、コスト的に安価に作成可能である。
【００１７】
【図面の簡単な説明】
【図１】本発明の第１の実施例の正面断面図
【図２】本発明の第１の実施例の右側面断面図
【図３】本発明の第１の実施例の一部部品説明図
【図４】本発明の第１の実施例の一部部品説明図
【符号の説明】
１  ：枠
２  ：軸
３  ：回転子
４  ：回転ベルト印
５  ：ベルト支持片
６  ：ねじ
７  ：調節ナット
８  ：固定ナット
９  ：外装体
１０  ：調節板
１１  ：握り部
１２  ：角部
１３  ：切欠
１４  ：軸支持部
１５  ：支持部材
１６  ：溝
１７  ：固定印部
１８  ：固定印
２０  ：固定印受
２１  ：長孔
２２  ：ボルト
２３  ：ナット
２４  ：窓
２５  ：爪
２６  ：回転印部
２７  ：切欠窓
２８  ：支持窓
【図１】
0003821561.tif 000002
【図２】
0003821561.tif 000003
【図３】
0003821561.tif 000004
【図４】
0003821561.tif 000005